(57)【要約】【課題】光拡散性のスクリーン媒質を備える透過型スクリーンにおいて、シンチレーションの発生を抑制することが可能な透過型スクリーンを提供する。【解決手段】光拡散板１４０と、光拡散板１４０に配設され、光拡散板１４０に対して超音波からなる音響波を供給することにより光拡散板１４０に定在波を形成する音響波供給装置１８０と、定在波の周期が６０Ｈｚ以上の周波数で変調されるように音響波供給装置１８０を制御する制御装置とを備える透過型スクリーン１００。【選択図】図２
2007249137.tif 000002
【特許請求の範囲】
【請求項１】
光拡散性のスクリーン媒質と、
前記スクリーン媒質に配設され、前記スクリーン媒質に対して超音波からなる音響波を供給することにより前記スクリーン媒質に定在波を形成する音響波供給装置と、
前記定在波の周期が６０Ｈｚ以上の周波数で変調されるように前記音響波供給装置を制御する制御装置とを備えることを特徴とする透過型スクリーン。
【請求項２】
請求項１に記載の透過型スクリーンにおいて、
前記音響波供給装置は、前記スクリーン媒質に密着して配設されていることを特徴とする透過型スクリーン。
【請求項３】
請求項１に記載の透過型スクリーンにおいて、
前記音響波供給装置は、超音波良伝達物質を介して前記スクリーン媒質に配設されていることを特徴とする透過型スクリーン。
【請求項４】
請求項１〜３のいずれかに記載の透過型スクリーンにおいて、
前記音響波供給装置として、複数の音響波供給装置を備えることを特徴とする透過型スクリーン。
【請求項５】
請求項１〜４のいずれかに記載の透過型スクリーンと、
投写画像を前記透過型スクリーンに向けて投写する投写光学ユニットとを備えることを特徴とするリアプロジェクションテレビ。
【請求項６】
請求項５に記載のリアプロジェクションテレビにおいて、
前記投写光学ユニットは、可干渉性の光源を備えることを特徴とするリアプロジェクションテレビ。
【発明の詳細な説明】
【技術分野】
【０００１】
本発明は、透過型スクリーン及びリアプロジェクションテレビに関する。
【背景技術】
【０００２】
従来、背面投写型のプロジェクタなどに用いる透過型スクリーンとして、光拡散機能を有する粒状体を内部に含有するスクリーン媒質を備える透過型スクリーンが知られている（例えば、特許文献１参照。）。
【０００３】
従来の透過型スクリーンによれば、スクリーン媒質に入射した光は粒状体によって様々な方向に拡散されることとなるため、透過型スクリーンにおける視野角特性を向上することが可能となる。
【０００４】
【特許文献１】特開平６−２７３８５２号公報
【発明の開示】
【発明が解決しようとする課題】
【０００５】
しかしながら、従来の透過型スクリーンにおいては、ギラギラ感を引き起こす微小な輝度むらがスクリーン上に発生するという問題があった。この場合に、光源としてレーザ光源を用いた場合にはスペックルノイズに起因して、ギラギラ感を引き起こす微小な輝度むらがスクリーン上に発生するという問題が顕著になる。以下、このような微小な輝度むらのことをシンチレーションという。
【０００６】
なお、この問題は、光拡散機能を有する粒状体を内部に含有するスクリーン媒質を備える透過型スクリーンのみならず、スクリーンの光入射面を光拡散面としたスクリーン媒質を備える透過型スクリーンの場合にも見られる問題である。すなわち、光拡散性のスクリーン媒質を備える透過型スクリーン全体に見られる問題である。
【０００７】
そこで、本発明は、このような問題を解決するためになされたもので、光拡散性のスクリーン媒質を備える透過型スクリーンにおいて、シンチレーションの発生を抑制することが可能な透過型スクリーンを提供することを目的とする。また、そのような優れた透過型スクリーンを備えるリアプロジェクションテレビを提供することを目的とする。
【課題を解決するための手段】
【０００８】
本発明者は、上記目的を達成するため、従来の透過型スクリーンにおいて、シンチレーションがスクリーン上に発生する原因を究明すべく鋭意努力を重ねた結果、従来の透過型スクリーンにおいては、スクリーン内部の粒状体又はスクリーンの光拡散面によって拡散された光が互いに干渉することがその原因であるという知見を得た。
【０００９】
そこで、本発者は、以上の知見に基づいて、スクリーン内部の粒状体又はスクリーンの光拡散面によって拡散された光が互いに干渉して微小な輝度むらが発生したとしても、このような輝度むらを人間の目に見えない速さで変調することにより人間の目で検知できないようにすれば、シンチレーションの発生を抑制することが可能となることに想到し、本発明を完成させるに至った。
【００１０】
本発明の透過型スクリーンは、光拡散性のスクリーン媒質と、前記スクリーン媒質に配設され、前記スクリーン媒質に対して超音波からなる音響波を供給することにより前記スクリーン媒質に定在波を形成する音響波供給装置と、前記定在波の周期が６０Ｈｚ以上の周波数で変調されるように前記音響波供給装置を制御する制御装置とを備えることを特徴とする。
【００１１】
このため、本発明の透過型スクリーンによれば、光拡散性のスクリーン媒質を備えるため、透過型スクリーンにおける視野角特性を向上することが可能となる。
【００１２】
また、本発明の透過型スクリーンによれば、スクリーン媒質に定在波を形成する音響波供給装置を備えているため、光拡散性のスクリーン媒質を備えることでスクリーン媒質で拡散された光が互いに干渉して微小な輝度むらが発生したとしても、このような輝度むらを人間の目に見えない速さで高速変調することでシンチレーションの発生を抑制することが可能となる。
【００１３】
また、本発明の透過型スクリーンによれば、上記したような輝度むらの高速変調を結像面で行っているため、画像品質を低下させることなくシンチレーションの発生を抑制することが可能となる。
【００１４】
本発明の透過型スクリーンにおいては、前記音響波供給装置は、前記スクリーン媒質に密着して配設されていることが好ましい。
【００１５】
このように構成することにより、スクリーン媒質に音響波を効率的に供給することが可能となり、少ないエネルギーでかつ大きな効果をもってシンチレーションの発生を抑制することが可能となる。
【００１６】
本発明の透過型スクリーンにおいては、前記音響波供給装置は、超音波良伝達物質を介して前記スクリーン媒質に配設されていることが好ましい。
【００１７】
このように構成することにより、スクリーン媒質に音響波を効率的に供給することが可能となり、少ないエネルギーでかつ大きな効果をもってシンチレーションの発生を抑制することが可能となる。
【００１８】
超音波良伝達物質としては、医療・美容分野等で用いられるジェルを好ましく例示することができる。なお、長期安定性を考慮すると、蒸気圧の小さな物質からなるジェルを用いることがより好ましい。
【００１９】
本発明の透過型スクリーンにおいては、前記音響波供給装置として、複数の音響波供給装置を備えることが好ましい。
【００２０】
このように構成することにより、複数の音響波供給装置を分散させて配置することが可能となり、透過型スクリーンの全面にわたってシンチレーションの発生を抑制することが可能となる。
【００２１】
本発明のリアプロジェクションテレビは、上記した本発明の透過型スクリーンと、投写画像を前記透過型スクリーンに向けて投写する投写光学ユニットとを備えることを特徴とする。
【００２２】
このため、本発明のリアプロジェクションテレビによれば、高い視野角特性を有するとともに、シンチレーションの発生が抑制された優れたリアプロジェクションテレビとなる。
【００２３】
本発明のリアプロジェクションテレビにおいては、前記投写光学ユニットが可干渉性の光源を備える場合に特に大きな効果がある。
【００２４】
投写光学ユニットが可干渉性の光源を備える場合に、特にシンチレーションの発生が起こりやすいからである。
【発明を実施するための最良の形態】
【００２５】
以下、本発明の透過型スクリーン及びリアプロジェクションテレビについて、図に示す実施の形態に基づいて説明する。
【００２６】
［実施形態１］
図１は、実施形態１に係るリアプロジェクションテレビ１を説明するために示す図である。図１（ａ）は実施形態１に係るリアプロジェクションテレビ１の外観図であり、図１（ｂ）は実施形態１に係るリアプロジェクションテレビ１の内部を示す図である。
図２は、実施形態１に係る透過型スクリーン１００を説明するために示す図である。なお、図２においては、透過型スクリーン１００の断面を模式的に示している。
【００２７】
実施形態１に係るリアプロジェクションテレビ１は、図１に示すように、筐体１０と、筐体１０内部に配置された投写光学ユニット２０と、投写光学ユニット２０からの投写光を透過型スクリーン１００に向けて導光する導光ミラー３０と、筐体１０の前面に設置された透過型スクリーン１００とを備えるリアプロジェクションテレビである。
【００２８】
投写光学ユニット２０は、図示による説明は省略するが、光源と、光源からの光を画像情報に応じて変調する電気光学変調装置と、電気光学変調装置により変調された光を投写する投写レンズとを備えている。
光源としては、可干渉性の光源（例えば、レーザ光源、狭帯域のＬＥＤ光源など。）を用いている。
電気光学変調装置としては、電気光学物質である液晶を用いた液晶装置又は複数のマイクロミラーからなるマイクロミラー型光変調装置を好適に用いることができる。
【００２９】
実施形態１に係る透過型スクリーン１００は、図２に示すように、第１のスクリーン媒質としてのフレネルレンズシート１１０と、第２のスクリーン媒質としてのレンチキュラーレンズシート１２０と、第３のスクリーン媒質としての光拡散板１４０と、光拡散板１４０に配設される複数の音響波供給装置１８０と、音響波供給装置１８０を制御する制御装置（図示せず。）とを備える透過型のスクリーンである。なお、実施形態１に係る透過型スクリーン１００において、光拡散性のスクリーン媒質とは、光拡散板１４０のことである。
【００３０】
フレネルレンズシート１１０は、片面にフレネルレンズ１１２が設けられたシート状部材であり、導光ミラー３０（図１（ｂ）参照。）からの投写光を画面に対してほぼ垂直な光となるように変換する機能を有する。
【００３１】
レンチキュラーレンズシート１２０は、両面にシリンドリカル状のレンチキュラーレンズ１２２，１２４が設けられたシート状部材であり、投写光の拡散方向を制御する機能を有する。
レンチキュラーレンズ１２４における非集光部分には、突起状の外光吸収層１２６が所定間隔で設けられている。これにより、外光によるコントラストの低下を抑制することが可能となる。
【００３２】
光拡散板１４０は、基材１４２中に光拡散機能を有する粒状体１４４を分散させたものからなり、レンチキュラーレンズシート１２０からの光を拡散する機能を有する。光拡散板１４０は、例えば、基材１４２と粒状体１４４とを適当な有機溶剤若しくは水に溶解又は分散させたものを塗布・乾燥することにより製造することができる。
【００３３】
基材１４２としては、透光性の樹脂を好適に用いることができる。例えば、ポリエチレン、ポリプロピレン等のポリオレフィン系樹脂、ポリエチレンテレフタレート等のポリエステル系樹脂、トリアセチルセルロース、ブチルセルロース等のセルロース系樹脂、ポリスチレン系樹脂、ポリウレタン系樹脂、塩化ビニル系樹脂、アクリル系樹脂、ポリカーボネート系樹脂、ポリエステル系樹脂等が挙げられる。
【００３４】
粒状体１４４としては、基材１４２との間に所定の屈折率差を有し、透明で、基材１４２への分散性に優れたものを好適に用いることができる。例えば、アクリル系樹脂、ポリウレタン系樹脂、ポリアミド系樹脂等からなる有機高分子化合物の微粒子や、シリカ等の無機化合物の微粒子などが挙げられる。
【００３５】
なお、ここでは図示を省略したが、光拡散板１４０の光射出面（観察者側の面）には、反射防止層及びハードコート層が形成されている。
【００３６】
音響波供給装置１８０は、超音波良伝達物質としてのジェル１８２を介して光拡散板１４０の端部に複数配設されている。そして、光拡散板１４０に対して超音波からなる音響波を供給することにより光拡散板１４０に定在波を形成する。
【００３７】
ジェル１８２としては、医療・美容分野等で用いられるジェルを好ましく例示することができる。なお、長期安定性を考慮すると、蒸気圧の小さな物質からなるジェルを用いることがより好ましい。
【００３８】
制御装置（図示せず。）は、定在波の周期が６０Ｈｚ以上の周波数で変調されるように音響波供給装置１８０を制御して、音響波供給装置から供給される超音波の周波数を６０Ｈｚ以上の周波数で変調する。その結果、例えば、発振周波数が２０万Ｈｚである超音波を３００Ｈｚの変調周波数で変調することにより、１５万Ｈｚ〜２５万Ｈｚの範囲で高速変調された超音波からなる音響波を光拡散板１４０に対して供給することが可能となる。なお、当該発振周波数及び当該変調周波数の値は、所定範囲内から適宜選択することが可能である。
【００３９】
ここで、音響波供給装置１８０及び制御装置の機能について、図３を用いて説明する。図３は、音響波供給装置１８０及び制御装置の機能を説明するために示す概念図である。図３（ａ）は実施形態１の比較例に係る透過型スクリーン１００ａにおいて、各時刻Ｔ１〜Ｔ３における光拡散板１４０ａに入射した光が粒状体１４４ａで拡散される様子を示す概念図であり、図３（ｂ）は実施形態１に係る透過型スクリーン１００において、各時刻Ｔ１〜Ｔ３における光拡散板１４０に入射した光が粒状体１４４で拡散される様子を示す概念図である。
【００４０】
比較例に係る透過型スクリーン１００ａは、基本的には実施形態１に係る透過型スクリーン１００とよく似た構成を有しているが、音響波供給装置及び制御装置を備えていない点で、実施形態１に係る透過型スクリーン１００とは異なっている。
【００４１】
すなわち、比較例に係る透過型スクリーン１００ａによれば、光拡散板１４０ａを備えるため、透過型スクリーン１００ａにおける視野角特性を向上することは可能であるが、図３（ａ）に示すように、光拡散板１４０ａで拡散された光が互いに干渉してしまう。その結果、スクリーン上に微小な輝度むらが発生してしまう。
【００４２】
これに対し、実施形態１に係る透過型スクリーン１００によれば、光拡散板１４０に定在波を形成する音響波供給装置１８０を備えるとともに、定在波の周期が６０Ｈｚ以上の周波数で変調されるように音響波供給装置１８０を制御する制御装置を備えているため、図３（ｂ）に示すように、時刻Ｔ１においては光拡散板１４０で拡散された光が互いに干渉していたとしても、時刻Ｔ２，Ｔ３においてはそのような干渉パターンが平均化されることとなる。すなわち、スクリーン上に微小な輝度むらが発生したとしても、このような輝度むらを人間の目に見えない速さで高速変調することでシンチレーションの発生を抑制することが可能となる。
【００４３】
このように、実施形態１に係る透過型スクリーン１００においては、光拡散性のスクリーン媒質としての光拡散板１４０と、光拡散板１４０に配設され、光拡散板１４０に対して超音波からなる音響波を供給することにより光拡散板１４０に定在波を形成する音響波供給装置１８０と、定在波の周期が６０Ｈｚ以上の周波数で変調されるように音響波供給装置１８０を制御する制御装置とを備えている。
【００４４】
このため、実施形態１に係る透過型スクリーン１００によれば、光拡散板１４０を備えるため、透過型スクリーン１００における視野角特性を向上することが可能となる。
【００４５】
また、実施形態１に係る透過型スクリーン１００によれば、光拡散板１４０に定在波を形成する音響波供給装置１８０を備えているため、光拡散板１４０を備えることで光拡散板１４０で拡散された光が互いに干渉して微小な輝度むらが発生したとしても、このような輝度むらを人間の目に見えない速さで高速変調することでシンチレーションの発生を抑制することが可能となる。
【００４６】
また、実施形態１に係る透過型スクリーン１００によれば、上記したような輝度むらの高速変調を結像面で行っているため、画像品質を低下させることなくシンチレーションの発生を抑制することが可能となる。
【００４７】
実施形態１に係る透過型スクリーン１００においては、音響波供給装置１８０は、ジェル１８２を介して光拡散板１４０に配設されているため、光拡散板１４０に音響波を効率的に供給することが可能となり、少ないエネルギーでかつ大きな効果をもってシンチレーションの発生を抑制することが可能となる。
【００４８】
実施形態１に係る透過型スクリーン１００においては、音響波供給装置として、複数の音響波供給装置１８０（図２には２つの音響波供給装置１８０のみ図示。）を備えているため、複数の音響波供給装置１８０を分散させて配置することが可能となり、透過型スクリーン１００の全面にわたってシンチレーションの発生を抑制することが可能となる。
【００４９】
実施形態１に係るリアプロジェクションテレビ１は、上記した透過型スクリーン１００と、投写画像を透過型スクリーン１００に向けて投写する投写光学ユニット２０とを備えているため、高い視野角特性を有するとともに、シンチレーションの発生が抑制された優れたリアプロジェクションテレビとなる。
【００５０】
また、実施形態１に係るリアプロジェクションテレビ１においては、投写光学ユニット２０が可干渉性の光源を備えていることに起因してシンチレーションが発生しやすいという問題が考えられるが、上記した透過型スクリーン１００を備えているため、シンチレーションの発生を効果的に抑制することが可能となる。
【００５１】
なお、実施形態１に係る透過型スクリーン１００においては、光拡散性のスクリーン媒質として、基材１４２中に光拡散機能を有する粒状体１４４を分散させた光拡散板１４０を用いる場合を例示して説明したが、本発明はこれに限定されるものではなく、例えば次のような変形も可能である。
【００５２】
［変形例１〜３］
図４は、実施形態１の変形例１に係る透過型スクリーン１０２を説明するために示す図である。図５は、実施形態１の変形例２に係る透過型スクリーン１０４を説明するために示す図である。図６は、実施形態１の変形例３に係る透過型スクリーン１０６を説明するために示す図である。なお、図４〜図６においては、透過型スクリーン１０２〜１０６の断面を模式的に示すとともに、図２と同一の部材については同一の符号を付し、詳細な説明は省略する。
【００５３】
実施形態１の変形例１〜３に係る透過型スクリーン１０２〜１０６は、基本的には実施形態１に係る透過型スクリーン１００とよく似た構成を有しているが、光拡散性のスクリーン媒質の構成が実施形態１に係る透過型スクリーン１００とは異なっている。
【００５４】
すなわち、変形例１に係る透過型スクリーン１０２においては、図４に示すように、光拡散性のスクリーン媒質として、光拡散板１５０を備えている。
光拡散板１５０は、透光性の基板１５２と、基板１５２の光入射面側に形成される光拡散層１５４とを有するシート状部材である。光拡散層１５４中には、光拡散機能を有する粒状体１５６が分散されている。基板１５２としては、例えば、アクリル板や透明ガラス基板などを用いることができる。
【００５５】
また、変形例２に係る透過型スクリーン１０４においては、図５に示すように、光拡散性のスクリーン媒質として、光拡散板１６０を備えている。
光拡散板１６０は、透光性の基板１６２と、基板１６２の光入射面に接着された粒状体１６４とを有するシート状部材である。粒状体１６４は光拡散機能を有する。基板１６２としては、例えば、アクリル板や透明ガラス基板などを用いることができる。
【００５６】
また、変形例３に係る透過型スクリーン１０６においては、図６に示すように、光拡散性のスクリーン媒質として、光拡散板１７０を備えている。
光拡散板１７０は、透光性の基板１７２における光入射側の表面に光拡散部１７４が形成されたシート状部材である。基板１７２としては、超音波を伝えることが可能なものであればよく、例えば、アクリル板や透明ガラス基板などを用いることができる。
【００５７】
なお、ここでは図示を省略したが、上記した光拡散板１５０〜１７０の光射出面（観察者側の面）には、反射防止層及びハードコート層が形成されている。
【００５８】
このように、変形例１〜３に係る透過型スクリーン１０２〜１０６は、実施形態１に係る透過型スクリーン１００とは光拡散性のスクリーン媒質の構成が異なっているが、実施形態１に係る透過型スクリーン１００の場合と同様に、光拡散板１５０〜１７０に対して超音波からなる音響波を供給することにより光拡散板１５０〜１７０に定在波を形成する音響波供給装置１８０と、定在波の周期が６０Ｈｚ以上の周波数で変調されるように音響波供給装置１８０を制御する制御装置とを備えているため、光拡散性のスクリーン媒質としての光拡散板１５０〜１７０を備えることで光拡散板１５０〜１７０で拡散された光が互いに干渉して微小な輝度むらが発生したとしても、このような輝度むらを人間の目に見えない速さで高速変調することでシンチレーションの発生を抑制することが可能となる。
【００５９】
［実施形態２］
図７は、実施形態２に係る透過型スクリーン２００を説明するために示す図である。なお、図７においては、透過型スクリーン２００の断面を模式的に示すとともに、図２と同一の部材については同一の符号を付し、詳細な説明は省略する。
【００６０】
実施形態２に係る透過型スクリーン２００は、図７に示すように、第１のスクリーン媒質としてのフレネルレンズシート２１０と、第２のスクリーン媒質としてのレンチキュラーレンズシート２２０と、第３のスクリーン媒質としての前面基板２４０と、レンチキュラーレンズシート２２０に配設される複数の音響波供給装置２６０と、音響波供給装置２６０を制御する制御装置（図示せず。）とを備える透過型のスクリーンである。なお、実施形態２に係る透過型スクリーン２００において、光拡散性のスクリーン媒質とは、レンチキュラーレンズシート２２０のことである。
【００６１】
フレネルレンズシート２１０は、片面にフレネルレンズ２１２が設けられたシート状部材であり、導光ミラー３０（図１（ｂ）参照。）からの投写光を画面に対してほぼ垂直な光となるように変換する機能を有する。
【００６２】
レンチキュラーレンズシート２２０は、両面にシリンドリカル状のレンチキュラーレンズ２２２，２２４が設けられたシート状部材であり、投写光の拡散方向を制御する機能を有する。レンチキュラーレンズシート２２０は、基材２２８中に光拡散機能を有する粒状体２３０を分散させたものからなり、フレネルレンズシート２１０からの光を拡散する機能を有する。
【００６３】
基材２２８としては、超音波を伝えることが可能なものであればよく、例えば、石英、フリントガラス、透光性の樹脂などを好適に用いることができる。透光性の樹脂としては、例えば、ポリエチレン、ポリプロピレン等のポリオレフィン系樹脂、ポリエチレンテレフタレート等のポリエステル系樹脂、トリアセチルセルロース、ブチルセルロース等のセルロース系樹脂、ポリスチレン系樹脂、ポリウレタン系樹脂、塩化ビニル系樹脂、アクリル系樹脂、ポリカーボネート系樹脂、ポリエステル系樹脂等が挙げられる。
【００６４】
粒状体２３０としては、基材２２８との間に所定の屈折率差を有し、透明で、基材２２８への分散性に優れたものを好適に用いることができる。例えば、アクリル系樹脂、ポリウレタン系樹脂、ポリアミド系樹脂等からなる有機高分子化合物の微粒子や、シリカ等の無機化合物の微粒子などが挙げられる。
【００６５】
レンチキュラーレンズ２２４における非集光部分には、突起状の外光吸収層２２６が所定間隔で設けられている。これにより、外光によるコントラストの低下を抑制することが可能となる。
【００６６】
前面基板２４０としては、例えば、アクリル板や透明なガラス基板などを用いることができる。なお、ここでは図示を省略したが、上記した前面基板２４０の光射出面（観察者側の面）には、反射防止層及びハードコート層が形成されている。
【００６７】
音響波供給装置２８０は、超音波良伝達物質としてのジェル２８２を介してレンチキュラーレンズシート２２０の端部に複数配設されている。そして、レンチキュラーレンズシート２２０に対して超音波からなる音響波を供給することによりレンチキュラーレンズシート２２０に定在波を形成する。超音波の発振周波数としては、例えば、１０万Ｈｚとする。
【００６８】
ジェル２８２としては、医療・美容分野等で用いられるジェルを好ましく例示することができる。なお、長期安定性を考慮すると、蒸気圧の小さな物質からなるジェルを用いることがより好ましい。
【００６９】
制御装置（図示せず。）は、定在波の周期が６０Ｈｚ以上の周波数で変調されるように音響波供給装置２８０を制御する。変調周波数としては、例えば、３００Ｈｚとする。
【００７０】
このように、実施形態２に係る透過型スクリーン２００においては、光拡散性のスクリーン媒質としてのレンチキュラーレンズシート２２０と、レンチキュラーレンズシート２２０に配設され、レンチキュラーレンズシート２２０に対して超音波からなる音響波を供給することによりレンチキュラーレンズシート２２０に定在波を形成する音響波供給装置２８０と、定在波の周期が６０Ｈｚ以上の周波数で変調されるように音響波供給装置２８０を制御する制御装置とを備えている。
【００７１】
このため、実施形態２に係る透過型スクリーン２００によれば、実施形態１に係る透過型スクリーン１００の場合と同様に、レンチキュラーレンズシート２２０に定在波を形成する音響波供給装置２８０を備えているため、レンチキュラーレンズシート２２０を備えることでレンチキュラーレンズシート２２０で拡散された光が互いに干渉して微小な輝度むらが発生したとしても、このような輝度むらを人間の目に見えない速さで高速変調することでシンチレーションの発生を抑制することが可能となる。
【００７２】
また、実施形態２に係る透過型スクリーン２００によれば、上記したような輝度むらの高速変調を結像面で行っているため、画像品質を低下させることなくシンチレーションの発生を抑制することが可能となる。
【００７３】
以上、本発明の透過型スクリーン及びリアプロジェクションテレビを上記の各実施形態に基づいて説明したが、本発明は上記の各実施形態に限定されるものではなく、その要旨を逸脱しない範囲において種々の態様において実施することが可能であり、例えば次のような変形も可能である。
【００７４】
（１）上記実施形態１に係る透過型スクリーン１００においては、音響波供給装置１８０は、超音波良伝達物質１８２を介して光拡散板１４０に配設されていたが、本発明はこれに限定されるものではなく、光拡散板１４０に密着して配設されていることも好ましい。
【００７５】
（２）上記実施形態２に係る透過型スクリーン２００においては、レンチキュラーレンズシート２２０の光射出側（観察者側）に前面基板２４０が配置されていたが、本発明はこれに限定されるものではなく、前面基板２４０が配置されていなくてもよい。
【００７６】
（３）上記各実施形態において、光拡散性のスクリーン媒質に１種類の粒状体を用いた場合を例示して説明したが、本発明はこれに限定されるものではなく、２種類以上の粒状体を組み合わせて用いてもよい。このとき、いかなる種類の粒状体を用いるか、あるいは粒状体をどのように組み合わせるかについては、透過型スクリーンの製造条件・使用目的等に応じて適宜決定される。
【００７７】
（４）上記各実施形態において、実施形態１では第３のスクリーン媒質としての光拡散板が光拡散性のスクリーン媒質である場合を説明し、実施形態２では第２のスクリーン媒質としてのレンチキュラーレンズシートが光拡散性のスクリーン媒質である場合を説明したが、本発明はこれに限定されるものではなく、第１のスクリーン媒質としてのフレネルレンズシートが光拡散性のスクリーン媒質であってもよい。この場合には、フレネルレンズシートに上記したような音響波供給装置が配設される。
【００７８】
（５）上記実施形態１に係るリアプロジェクションテレビ１においては、投写光学ユニット２０が可干渉性の光源を備えていたが、本発明はこれに限定されるものではなく、高圧水銀ランプ等の光源を備えるものにも適用可能である。
【００７９】
（６）本発明の透過型スクリーンは、リアプロジェクションテレビに用いることができるほか、例えば、背面投写型のデジタルシネマ、絵画投写用の背面投写型プロジェクタ、プレゼンテーションルーム用の背面投写型プロジェクタをはじめ様々な分野の背面投写型プロジェクタに用いることができる。
【図面の簡単な説明】
【００８０】
【図１】実施形態１に係るリアプロジェクションテレビ１を説明するために示す図。
【図２】実施形態１に係る透過型スクリーン１００を説明するために示す図。
【図３】音響波供給装置１８０及び制御装置の機能を説明するために示す概念図。
【図４】実施形態１の変形例１に係る透過型スクリーン１０２を説明するために示す図。
【図５】実施形態１の変形例２に係る透過型スクリーン１０４を説明するために示す図。
【図６】実施形態１の変形例３に係る透過型スクリーン１０６を説明するために示す図。
【図７】実施形態２に係る透過型スクリーン２００を説明するために示す図。
【符号の説明】
【００８１】
１…リアプロジェクションテレビ、１０…筐体、２０…投写光学ユニット、３０…導光ミラー、１００，１００ａ，１０２，１０４，１０６，２００…透過型スクリーン、１１０，２１０…フレネルレンズシート、１１２，２１２…フレネルレンズ、１２０，２２０…レンチキュラーレンズシート、１２２，１２４，２２２，２２４…レンチキュラーレンズ、１２６，２２６…外光吸収層、１４０，１４０ａ，１５０，１６０，１７０…光拡散板、１４２，１４２ａ…（光拡散板の）基材、１４４，１４４ａ，１５６，１６４，２３０…粒状体、１５２，１６２，１７２…基板、１５４…光拡散層、１７４…光拡散部、１８０，２８０…音響波供給装置、１８２，２８２…ジェル、２２８…（レンチキュラーレンズシートの）基材、２４０…前面基板
【図１】
2007249137.tif 000003
【図２】
2007249137.tif 000004
【図４】
2007249137.tif 000005
【図５】
2007249137.tif 000006
【図６】
2007249137.tif 000007
【図７】
2007249137.tif 000008
【図３】
2007249137.tif 000009